(57)【要約】      （修正有）【課題】カバーの枠の部分が別の係止突起構造を備える必要なしにそのまま柔らかく携帯電話本体を覆って密着できるようにし埃や物質の浸透を根本的に遮断することと共に裝着脱の作業も自然で容易にでき、傷の発生を未然に防止できることの可能な、新規かつ改良された携帯電話本体用カバーを提供する。【解決手段】カバー１０と携帯電話本体との密着度を向上させ外部の埃や異物が浸透できないようにすると共に、度々装着脱されるカバーにより携帯電話の本体に様々な傷が発生しないようにする機能を有するカバーである。本カバーは、携帯電話端末機の形状に対応するように射出成形され、携帯電話の本体に装着脱される硬質のカバーの枠１１に、柔らかな軟質のラバーからなる密着形の枠を、硬質のカバーの枠と一体化して設けることにより形成される。【選択図】図１
0003170660.tif 000002
【実用新案登録請求の範囲】
【請求項１】
携帯電話端末機の形状に対応するように射出成形され、携帯電話端末機本体に装着脱される硬質のカバーと、
前記携帯電話端末機本体の一部を露出させる前記カバーの枠と一体化して設けられた、軟質のラバーからなる密着形の枠と、
を備えることを特徴とする、携帯電話本体用カバー。
【考案の詳細な説明】
【技術分野】
【０００１】
本考案は、携帯電話端末機本体用カバーに関し、さらに詳しくは、カバーと携帯電話本体の密着度を向上させ、外部の埃や異物が浸透しないよう配慮すると共に度々装着脱されるカバーにより携帯電話本体に様々な傷が発生しないようにする機能を有するカバーに関するものである。
【背景技術】
【０００２】
移動通信手段の発達により現在の現代人の必需品とまで位置付けされた携帯電話は、より高級化仕様で発売されている。また、機能が多様な分そのデザインも発展し、自分だけの独特な物を追求しようとする携帯電話使用者の欲求も満足させている。しかしながら、携帯電話端末機の製造過程とその購入費用を考慮すると、現実的には使用者が自分だけの個性を表現するために常に新しいデザイン及び機能を備えた携帯電話端末機を要請したり購入したりすることはできない。そこで、最近では、既存の携帯電話端末機に多様なアクセサリーを付加し変化を付けているのが一般的な傾向である。
【０００３】
特に、携帯電話使用者の触感の向上と外部からの衝撃や異物の浸透から安全に携帯電話端末機を保護するために、携帯電話端末機に皮または繊維材質で携帯電話端末機の外形と同一に製作されたカバーを装着したり硬軟質の透明または不透明の合成樹脂で射出成形されたカバーを装着したりするのが、使用者にとって最も経済的で手軽に自分の携帯電話端末機に変化を与える方法であり、脚光を浴びている。
【０００４】
このような携帯電話端末機の一般的なカバーの機能（特に、硬質の合成樹脂体の透明カバー）に関しては、特許文献１を参照することができる。なお、本考案は、上記の携帯電話端末機のアクセサリーにおいて合成樹脂で射出成形されたカバーに関して、構造的な変化とそれによる機能的な改善にその焦点を置いている。
【先行技術文献】
【特許文献】
【０００５】
【特許文献１】大韓民国特許公開第２００４−６７２１６号
【考案の概要】
【考案が解決しようとする課題】
【０００６】
携帯電話端末機用のカバーは比較的に低価な製作費用で提供され幅広い使用者層を確保という点でその有用性は大きい。しかし、その反面、いくつかの点は使用者の立場から見ると改善されるべき点として指摘されている。一番目の問題点として、合成樹脂のカバーの材質と装着方式の限界によりカバーの枠の部分が携帯電話本体に緊密に密着されず、その間の空間から外部の埃や異物質が浸透する可能性がある。このような状態で長期間使用するとカバー無しに使用した場合よりもかえって携帯電話の外観に不良が生じる。
【０００７】
二番目の問題点として、カバーの頻繁な装着脱作業において、カバーの材質と鋭い枠及び係止突起が要因となり、携帯電話本体に細かい傷が発生して外観を毀損させる憂慮も高いという点がある。
【０００８】
そこで、本考案は、上記問題に鑑みてなされたものであり、本考案の目的とするところは、カバーの枠の部分が別の係止突起構造を備える必要なしにそのまま柔らかく携帯電話本体を覆って密着できるようにし埃や物質の浸透を根本的に遮断することができ、かつ装着脱の作業も自然で容易にでき、傷の発生を未然に防止できることの可能な、新規かつ改良された携帯電話本体用カバーを提供することにある。
【課題を解決するための手段】
【０００９】
上記課題を解決するために、本考案のある観点によれば、携帯電話の形状に対応するように透明または不透明の合成樹脂で射出成形され携帯電話本体に装着脱される硬質のカバーであって、上記カバーの枠に柔らかい軟性のラバーからなる密着形の枠を、カバーの枠と一体に射出成形した携帯電話本体用カバーが提供される。
【考案の効果】
【００１０】
以上説明したように本考案によれば、比較的簡単な方法と構造で携帯電話本体用カバーが持つ弱さを解消することができ、誰でも手軽に自分の個性を表現しながらもカバーのもつ従来の機能以外に携帯電話の清潔で美麗な概観を維持することができる。
【図面の簡単な説明】
【００１１】
【図１】本考案に係る携帯電話本体用カバーの一実施例を示す部分切開斜視図である。
【図２】図１の主要部分を拡大図示した断面図である。
【考案を実施するための形態】
【００１２】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１３】
図１は本考案に係る携帯電話本体用カバーの一実施例を示す部分切開斜視図であり、図２はその主要部分を拡大図示した断面図である。図１および図２に示すように、本考案の一実施例に係る携帯電話本体用カバー１０は、硬質の 携帯電話のカバーの枠に軟質のラバー材質の密着形の枠を二重射出または相互間の融着あるいははめ込み方式などの成型作業によって一体化して形成される。携帯電話本体用カバー１０は、図１および図２に示したバータイプのスマートフォンはもちろん、従来のスライドやホルダー型の携帯電話端末機等にも制限なしに広く適用することができる。
【００１４】
また、本考案の実施例では、透明または不透明のカバー１０の構成を全て含むものであって、本考案の特徴はこのようなカバー１０の形態に制限されない。
【００１５】
カバー１０は、その提案された構造上の特性を考慮すると、携帯電話端末機の表示部や操作部が露出される部分である最上段の内側の枠の部分を除外した残りを硬質の合成樹脂で形成するのがよい。なお、カバー１０において、携帯電話端末機の表示部や操作部等がない背面側に対応する部分を下、表示部や操作部等が設けられる側に対応する部分を上とする。
【００１６】
上述したように、カバー１０の形態は携帯電話本体の形状に対応する多様な形態が存在し、本考案は、このような多様の硬質の合成樹脂カバーにおいて、上記のカバー１０の携帯電話端末機の表示部や操作部が露出される枠に柔らかい軟性のラバーからなる密着形の枠１１を備え、カバー１０の枠の最上段になるように一体に射出成形しているという特徴を持つ。
【００１７】
密着形の枠１１は、装着される携帯電話本体に密着すると同時に携帯電話本体を緊密に保持する役割をするもので、携帯電話端末機の一部を露出するために開口する内側を向いて延長折曲された形状を維持している。必要に応じて枠１１の厚さをカバー１０の枠より薄くすることもでき、このような厚さ幅を付与した場合、材質上の特徴とともに流動性の柔らかい軟性がより一層付与できる。
【００１８】
図２は、カバー１０の硬質性の枠と軟質性の密着形の枠１１との結合構造の一例を示している。カバー１０の硬質性の枠と軟質性の枠１１とは、二重射出成形や高周波の融着、接着剤の塗布、図２のような凹凸部を用いたはめ込み方式等を適切に選択することで、離脱の憂慮なしにカバー１０と枠１１との一体化を具現できる。
【００１９】
従って、カバー１０が携帯電話本体に装着されたときに、軟性をもつ密着形の枠１１によって携帯本電話体の外周面を覆いながら密着することで、別途これらを結合するための引っかける部材がなくてもその装着作業を手軽に行うことができ、緊密な装着状態を維持できる。したがって、枠１１の軟性により携帯電話端末機と隙間なく密着させることが可能となり、外部の埃や異物の浸透を遮断させることができる。また、枠１１の軟性によって、カバー１０を携帯電話端末機から外す作業も容易に行うことができる。
【００２０】
以上、添付図面を参照しながら本考案の好適な実施形態について詳細に説明したが、本考案はかかる例に限定されない。本考案の属する技術の分野における通常の知識を有する者であれば、実用新案登録請求の範囲に記載された技術的思想の範疇内において、各種の変更例または修正例に想到し得ることは明らかであり、これらについても、当然に本考案の技術的範囲に属するものと了解される。
【符号の説明】
【００２１】
１０    カバー
１１    枠
【図１】
0003170660.tif 000003
【図２】
0003170660.tif 000004